(57)【要約】【課題】画像形成装置のコスト増を招くことなく設置地域に応じた設定の変更を容易に行うことが可能な設定変更システムを提供する。【解決手段】携帯端末３が自機の位置情報を取得する位置情報取得部１７を備え、画像形成装置５ａ，５ｂがそれぞれ位置情報取得部１７で取得された位置情報に基づいて携帯端末３と同一地域内の画像形成装置５ａ，５ｂの設置地域を特定する地域特定部３９と、特定された設置地域に応じて画像形成装置５ａ，５ｂの設定を変更する設定変更部４１とを備える。【選択図】図１
2014232451.tif 000002
【特許請求の範囲】
【請求項１】
携帯端末の位置情報を取得する位置情報取得部と、
前記取得された位置情報に基づいて前記携帯端末と同一地域内の画像形成装置の設置地域を特定する地域特定部と、
前記特定された設置地域に応じて前記画像形成装置の設定を変更する設定変更部と、
を備えたことを特徴とする設定変更システム。
【請求項２】
請求項１記載の設定変更システムであって、
前記携帯端末と同一地域内に設置された画像形成装置を検索する装置検索部を備え、
前記設定変更部は、前記検索された画像形成装置の設定を変更する、
ことを特徴とする設定変更システム。
【請求項３】
請求項１又は２記載の設定変更システムであって、
前記位置情報取得部で取得された携帯端末の位置情報を前記設定の変更対象となる画像形成装置に通知する位置情報通知部を備え、
前記地域特定部及び前記設定変更部は、前記設定の変更対象となる画像形成装置毎に備えられ、前記地域特定部が前記通知された位置情報に基づいて前記設置地域を特定し、前記設定変更部が前記設置地域の特定に応じて前記設定を変更する、
ことを特徴とする設定変更システム。
【請求項４】
請求項４記載の設定変更システムであって、
前記画像形成装置は、前記通知された携帯端末の位置情報を保持する保持部を備え、
前記地域特定部は、前記画像形成装置の起動時に前記設置地域を特定する、
ことを特徴とする地域特定システム。
【請求項５】
請求項３又は４記載の設定変更システムに用いられる携帯端末であって、
前記位置情報取得部及び前記位置情報通知部を備えた、
ことを特徴とする携帯端末。
【請求項６】
携帯端末の位置情報を取得する位置情報取得機能と、
前記取得された位置情報に基づいて前記携帯端末と同一地域内の画像形成装置の設置地域を特定する地域特定機能と、
前記特定された設置地域に応じて前記画像形成装置の設定を変更する設定変更機能と、
をコンピューターに実現させることを特徴とする設定プログラム。
【発明の詳細な説明】
【技術分野】
【０００１】
本発明は、画像形成装置に対し設置された地域に応じて言語等の設定を変更する設定変更システム及びプログラム並びに携帯端末に関する。
【背景技術】
【０００２】
近年、デジタル複合機等の画像形成装置は、多くの国や地域に普及しており、設置される国や地域（設置地域）によって使用される言語や印刷する用紙のサイズ等が異なる。このため、画像形成装置では、設置地域に応じて設定が変更できるようになっている。
【０００３】
例えば、特許文献１には、ＧＰＳを用いて画像形成装置の設置位置を把握し、把握した設置位置に基づいて画像形成装置の設定を変更するものが開示されている。
【０００４】
この特許文献１では、画像形成装置の設置地域に応じた設定の変更を容易に行うことができるが、ＧＰＳ内蔵の画像形成装置を用いているので、画像形成装置のコストが高くなる問題がある。
【先行技術文献】
【特許文献】
【０００５】
【特許文献１】特開２００４−３５８７８７号公報
【発明の概要】
【発明が解決しようとする課題】
【０００６】
本発明が解決しようとする問題点は、画像形成装置の設置地域に応じた設定の変更を容易に行うために画像形成装置のコスト増を招く点である。
【課題を解決するための手段】
【０００７】
本発明は、携帯端末の位置情報を取得する位置情報取得部と、前記取得された位置情報に基づいて前記携帯端末と同一地域内の画像形成装置の設置地域を特定する地域特定部と、前記特定された設置地域に応じて前記画像形成装置の設定を変更する設定変更部とを備えたことを設定変更システムの最も主な特徴とする。
【発明の効果】
【０００８】
本発明によれば、携帯端末の位置情報を利用することで、画像形成装置のコスト増を招くことなく設置地域に応じた設定の変更を容易に行わせることができる。
【図面の簡単な説明】
【０００９】
【図１】本発明の一実施例に係る設定変更システムを示すブロック図である。
【図２】図１の設定変更システムによる設定変更処理を示すフローチャートである。
【発明を実施するための形態】
【００１０】
画像形成装置のコスト増を招くことなく設置地域に応じた設定の変更を容易に行うという目的を、ユーザーの所持する携帯端末の位置情報を利用することで実現した。
【００１１】
具体的には、設定変更システムが、携帯端末の位置情報を取得し、取得された位置情報に基づいて携帯端末と同一地域内の画像形成装置の設置地域を特定し、特定された設置地域に応じて画像形成装置の設定を変更する。
【００１２】
この設定変更システムは、例えば携帯端末及び画像形成装置の機能として実現可能であるが、例えばサーバー装置等の外部管理装置の機能によっても実現することが可能である。
【００１３】
以下、本発明の実施例について図面を参照して説明する。
【実施例】
【００１４】
［設定変更システムの構成］
図１は、本発明の一実施例に係る設定変更システムを示すブロック図である。
【００１５】
設定変更システム１は、携帯端末３と、画像形成装置５ａ及び５ｂとを備えている。この設定変更システム１では、携帯端末３と同一の国や地域（以下、国や地域を「地域」と称する）内に、ＬＡＮ等のネットワークで接続された画像形成装置５ａ及び５ｂが設置されている。画像形成装置５ａ及び５ｂには、同一の言語や印刷のための用紙サイズ等の設置地域に応じた設定が適用される。
【００１６】
携帯端末３は、例えば多機能携帯電話等の携帯型情報処理端末であり、通信部７と、操作部９と、位置検出部１１と、制御部１３と、記憶部１５とを備えている。
【００１７】
通信部７は、画像形成装置５ａ及び５ｂを含む外部装置との間で、通信によるデータの送受信を行うインターフェイスである。通信部７の通信方式は、特に限定されるものではないが、Ｗｉ−Ｆｉ（登録商標）（Wireless Fidelity）やＢｌｕｅｔｏｏｔｈ（登録商標）の無線通信等を利用することが可能である。
【００１８】
操作部９は、例えばタッチパネル式の画面等を備え、操作入力の受け付けや操作状況を表示する。
【００１９】
位置検出部１１は、ＧＰＳ等を利用して携帯端末３の位置情報（座標）を取得する。
【００２０】
制御部１３は、プログラムを実行して上記各部を制御するＣＰＵ（Central Processing Unit）等の演算装置である。
【００２１】
記憶部１５は、各種のプログラムを保持するＲＯＭ（Read Only Memory）、作業領域としてのＲＡＭ（Random Access Memory）、補助記憶装置としてのＨＤＤ（Hard Disk Drive）等である。
【００２２】
本実施例の携帯端末３は、制御部１３が記憶部１５内の設定変更プログラムを実行することで、位置情報取得部１７、装置検索部１９、対象選択部２１、位置情報通知部２３として動作する。
【００２３】
位置情報取得部１７は、位置情報取得機能を実現し、位置検出部１１で検出された携帯端末３の位置情報を取得する。
【００２４】
装置検索部１９は、装置検索機能を実現し、ネットワーク上の画像形成装置５ａ及び５ｂを検索する。画像形成装置５ａ及び５ｂの検索は、特に限定されるものではないが、例えばＷＳ−Ｄｉｓｃｏｖｅｒｙ等の既存のネットワークデバイス検出プロトコルを利用して行うことができる。
【００２５】
本実施例の装置検索部１９は、検索された画像形成装置５ａ及び５ｂのリストを作成する。なお、予めネットワーク上の画像形成装置５ａ及び５ｂのリストを作成して、記憶部１５内に保持しておいてもよい。この場合、装置検索部１９は、画像形成装置５ａ及び５ｂの検索として記憶部１５内のリストを検索すればよい。
【００２６】
対象選択部２１は、対象選択機能を実現し、リスト内の画像形成装置５ａ及び５ｂに対して設定の変更対象とするものをユーザーに選択させる。この選択は、操作部９上で受け付けることができる。
【００２７】
位置情報通知部２３は、位置情報通知機能を実現し、対象選択部２１で選択された画像形成装置５ａ及び５ｂに対して携帯端末３の位置情報を通知する。なお、位置情報通知部２３は、リスト内の全ての画像形成装置５ａ及び５ｂに携帯端末３の位置情報を通知してもよい。この場合は対象選択部２１を省略できる。
【００２８】
携帯端末３の位置情報の通知は、複数の画像形成装置５ａ及び５ｂに対してネットワークを通じて行うが、単一の画像形成装置５ａ又は５ｂに対してはネットワークを介さずに近距離無線によって行うことも可能である。ネットワークを介さない場合は、画像形成装置５ａ及び５ｂの検索やリストの作成が不要となり、装置検索部１９を省略することができる。
【００２９】
画像形成装置５ａ及び５ｂは、同一構成のプリンター、コピー機、或いはそれらのデジタル複合機である。なお、画像形成装置５ａ及び５ｂの構成については、一方の画像形成装置５ａについてのみ説明し、他方の画像形成装置５ｂに同符号を付する。
【００３０】
画像形成装置５ａは、通信部２５、操作パネル部２７、スキャナー２９、印刷部３１、制御部３３、記憶部３５等を備えている。
【００３１】
通信部２５は、携帯端末３を含む外部装置との間で通信によるデータの送受信を行うインターフェイスである。通信部２５の通信方式は、特に限定されるものではないが、携帯端末３と同様にＷｉ−ＦｉやＢｌｕｅｔｏｏｔｈ(登録商標)の無線通信等を利用することが可能である。
【００３２】
操作パネル部２７は、例えばキーボードやタッチパネル式の画面等を備え、画像形成装置５ａに対する操作入力や操作状況の表示等を行う。
【００３３】
スキャナー２９は、原稿を読み取って画像データを生成する。
【００３４】
印刷部３１は、スキャナー２９による画像データ又は通信部２５を介して入力された画像データに基づいて用紙上に画像を形成するプリントエンジンである。
【００３５】
制御部３３は、ＣＰＵ等備える演算装置であり、記憶部３５は、ＲＯＭ、ＲＡＭ、ＨＤＤ等である。
【００３６】
本実施例の画像形成装置５ａは、制御部３３が記憶部３５内の設定変更プログラムを実行することで、保持部３７、地域特定部３９、及び設定変更部４１として動作する。
【００３７】
保持部３７は、位置情報保持機能を実現し、携帯端末３側から通知された位置情報を記憶部３５内に保持する。
【００３８】
地域特定部３９は、地域特定機能を実現し、携帯端末３の位置情報に基づいて携帯端末３と同一地域内にある自機（画像形成装置５ａ）の設置地域を特定する。本実施例の地域特定部３９は、自機の起動時に処理を行う。
【００３９】
具体的には、地域特定部３９は、自機の起動時に記憶部３５内に携帯端末３側の位置情報が保持されていれば、これに基づいて自機の設置地域を特定する。位置情報が保持されている場合としては、保持部３７によって携帯端末３の位置情報を保持した後に、画像形成装置５ａを再起動するケース等がある。
【００４０】
設定変更部４１は、設定変更機能を実現し、地域特定部３９で特定された設置地域に応じて自機の設定を変更する。この設定の変更としては、言語や印刷のための用紙サイズ等の設定を自機の設置地域に応じたものにする。
［設定変更処理］
図２は、図１の設定変更システムによる設定変更処理を示すフローチャートである。この設定変更処理は、携帯端末３で設定変更プログラムを実行することで開始される。
【００４１】
ステップＳ１では、「携帯端末の位置情報取得」が行われる。この処理では、携帯端末３の位置情報取得部１７が、位置検出部１１で検出された携帯端末３の位置情報を取得する。これによりステップＳ１が完了してステップＳ２へ移行する。
【００４２】
ステップＳ２では、「画像形成装置のリスト作成」が行われる。この処理では、まず携帯端末３の装置検索部１９が、ステップＳ１での位置情報の取得に応じてネットワーク上の画像形成装置５ａ及び５ｂを検索する。この検索結果に基づき、装置検索部１９は、ネットワーク上に存在する画像形成装置５ａ及び５ｂのリストを作成する。これによりステップＳ２が完了してステップＳ３へ移行する。
【００４３】
ステップＳ３では、「設定変更対象の受付」が行われる。この処理では、携帯端末３の対象選択部２１が、ステップＳ２で作成されたリスト内の画像形成装置５ａ及び５ｂに対し、設定の変更対象とするものの選択を受け付ける。この受付は、例えば、携帯端末３の操作部９上で画像形成装置５ａ及び５ｂのリストを表示して、その中から設定変更を行うものを選択させる。
【００４４】
設定変更対象の選択が受け付けられると、ステップＳ３が完了してステップＳ４へ移行する。なお、以下においては、全ての画像形成装置５ａ及び５ｂが設定変更対象として選択されているものとして説明する。
【００４５】
ステップＳ４では、「携帯端末の位置情報通知」が行われる。この処理では、携帯端末３の位置情報通知部２３が、設定変更対象として選択された画像形成装置５ａ及び５ｂに対して携帯端末３の位置情報を通知する。こうしてステップＳ４が完了するとステップＳ５へ移行する。
【００４６】
ステップＳ５では、「携帯端末の位置情報の保持」が行われる。この処理では、各画像形成装置の保持部３７が、携帯端末３側から通知された位置情報を記憶部３５内に保持する。こうしてステップＳ５が完了すると、ステップＳ６へ移行する。
【００４７】
ステップＳ６では、「画像形成装置の設置地域の特定」が行われる。この処理は、画像形成装置５ａ及び５ｂが再起動される時等に行われ、各画像形成装置の地域特定部３９が記憶部３５の携帯端末３の位置情報に基づいて自機の設置地域を特定する。
【００４８】
設置地域の特定としては、例えば位置情報と地域情報とを関連付けたテーブル等を各画像形成装置の記憶部３５内に用意しておき、そのテーブルを参照することで携帯端末３と同一地域内の自機が何れの地域に位置するかを判断する。
【００４９】
こうしてステップＳ６が完了すると、ステップＳ７へ移行する。
【００５０】
ステップＳ７では、「画像形成装置の設定変更」が行われる。この処理では、各画像形成装置の地域特定部３９が、ステップＳ６で特定された設置地域に応じて、自機の設定を設置地域に応じたものに変更する。
【００５１】
設定の変更内容は、各画像形成装置の記憶部３５内に地域毎の設定として用意しておけばよい。ただし、地域毎の設定は、例えばサーバー装置等に用意しておき、設定変更部４１がサーバー装置から取得することも可能である。
【００５２】
こうして設定変更システム１は、携帯端末３の位置情報に基づいて、画像形成装置５ａ及び５ｂの設置地域に応じた設定変更を行うことができる。
［実施例１の効果］
本実施例の設定変更システム１は、携帯端末３の位置情報を取得する位置情報取得部１７と、取得された位置情報に基づいて携帯端末３と同一地域内の画像形成装置５ａ及び５ｂの設置地域を特定する地域特定部３９と、特定された設置地域に応じて画像形成装置５ａ及び５ｂの設定を変更する設定変更部４１とを備えている。
【００５３】
従って、本実施例では、画像形成装置５ａ及び５ｂ自体にＧＰＳ等の位置情報を検出するためのデバイスを設けることなく、携帯端末３の位置情報に基づいて画像形成装置５ａ及び５ｂの設置地域に応じた設定の変更が可能となる。
【００５４】
すなわち、本実施例では、携帯端末３の位置情報を利用することで、画像形成装置５ａ及び５ｂのコスト増を招くことなく設置地域に応じた設定の変更を容易に行わせることができる。
【００５５】
また、本実施例の設定変更システム１は、携帯端末３と同一地域内に設置された画像形成装置５ａ及び５ｂを検索する装置検索部１９を備え、設定変更部４１が検索された画像形成装置の設定を変更する。
【００５６】
従って、本実施例では、携帯端末３と同一地域内の画像形成装置５ａ及び５ｂの設置地域に応じた設定の変更を確実に行わせることができる。加えて、同一地域内の全ての画像形成装置５ａ及び５ｂに対し、設置地域に応じた設定の変更を一括して行うことも可能となる。
【００５７】
本実施例の設定変更システム１は、位置情報取得部１７で取得された携帯端末３の位置情報を設定の変更対象となる画像形成装置５ａ及び５ｂに通知する位置情報通知部２３を備え、地域特定部３９及び設定変更部４１が設定の変更対象となる画像形成装置５ａ及び５ｂ毎に備えられ、地域特定部３９が通知された位置情報に基づいて設置地域を特定し、設定変更部４１が設置地域の特定に応じて設定を変更する。
【００５８】
従って、本実施例では、携帯端末３の位置情報を設定の変更対象となる画像形成装置５ａ及び５ｂに通知するだけで、画像形成装置５ａ及び５ｂの設定の変更を容易に行うことができる。
【００５９】
本実施例の設定変更システム１では、画像形成装置５ａ及び５ｂが通知された携帯端末３の位置情報を保持する保持部３７を備え、地域特定部３９が画像形成装置の起動時に設置地域を特定する。
【００６０】
従って、本実施例では、携帯端末３の位置情報を画像形成装置５ａ及び５ｂに通知した後は、画像形成装置５ａ及び５ｂの起動時処理として設置地域に応じた設定の変更を確実に行うことができる。
【００６１】
本実施例では、位置情報取得部１７及び位置情報通知部２３が携帯端末３に備えられるので、設定変更システム１を携帯端末３及び画像形成装置５ａ及び５ｂの機能として実現することができ、構成を簡素化することが可能となる。
［その他］
以上、本発明の実施例について説明した、本発明はこれに限定されるものではなく、各種の変更が可能である。
【００６２】
上記実施例おいては、地域特定部３９を画像形成装置５ａ及び５ｂ側の機能として備えていたが、携帯端末３側の機能として備えることも可能である。この場合、携帯端末３上の地域特定部は、位置情報通知部２３からの位置情報に基づいて同一地域内の画像形成装置５ａ及び５ｂの設置地域を特定し、特定した設置位置を各画像形成装置に対して通知すればよい。
【符号の説明】
【００６３】
１  設定変更システム
３  携帯端末
５ａ，５ｂ  画像形成装置
１７  位置取得部
１９  装置検索部
２１  対象選択部
２３  位置情報送信部
３９  地域特定部
４１  設定変更部
【図１】
2014232451.tif 000003
【図２】
2014232451.tif 000004